(57)【要約】【課題】  光学系の向き等を適切に認識する。【解決手段】  各シリンドリカルレンズ３０Ａ、３０Ｂ及びハーフミラー４０それぞれは、各々２つの外側面が交差して形成される複数の交差線を有し、複数の交差線の内の１つの交差線全体を含む部分が切り取られた面とされている切取面３０Ｓ、４０Ｓを有する。そして、切取面３０Ｓの幅Ｋを０．２５mm以上としている。切取面３０Ｓの幅Ｋが０．２５mm以上とすると、これにより、半数の人に切取面を認識させることが実験結果から得られたからである。【選択図】        図７
2006276456.tif 000002
【特許請求の範囲】
【請求項１】
各々２つの外側面が交差して形成される複数の交差線を有する光学系であって、
前記複数の交差線の内の１つの交差線全体を含む部分が切り取られた面とされている、幅が０．２５mm以上の切取面を有する
ことを特徴とする光学系。
【請求項２】
前記切取面と、前記１つの交差線を形成する２つの外側面各々とのなす角が異なることを特徴とする請求項１記載の光学系。
【請求項３】
前記切取面とのなす角が小さい側の面を光が通過することを特徴とする請求項２記載の光学系。
【請求項４】
前記１つの交差線を形成する２つの外側面と交差する交差面の一部の領域を光が通過し、
前記切取面と前記交差面との交差する部分は、前記光が通過する領域から最も遠い位置に位置する
ことを特徴とする請求項１又は請求項２記載の光学系。
【請求項５】
各々２つの外側面が交差して形成される複数の交差線を有する光学系であって、
前記複数の交差線の内の１つの交差線全体を含む部分が切り取られた面とされている切取面を有すると共に、該切取面と、該１つの交差線を形成する２つの面各々とのなす角度が異なると共に、
前記切取面とのなす角が小さい側の面を光が通過する
ことを特徴とする光学系。
【請求項６】
各々２つの外側面が交差して形成される複数の交差線を有する光学系であって、
前記複数の交差線の内の１つの交差線全体を含む部分が切り取られた面とされている切取面を有し、
前記１つの交差線を形成する２つの外側面と交差する交差面の一部の領域を光が通過し、
前記切取面と前記交差面との交差する部分は、前記光が通過する領域から最も遠い位置に位置する
ことを特徴とする光学系。
【請求項７】
前記切取面は、予め定められた基準面以外の面に含まれることを特徴とする請求項１乃至請求項６の何れか１項に記載の光学系。
【請求項８】
各々少なくとも３つの外側面が交差して形成される複数の頂点を有する光学系であって、
前記複数の頂点の内の１つの頂点を含む角部が切り欠けられた形状とされている切欠形状部を有する
ことを特徴とする光学系。
【請求項９】
前記切欠形状部は、予め定められた基準面以外の面に含まれることを特徴とする請求項８記載の光学系。
【請求項１０】
前記光学系は、入射した光を所定方向に集光して射出する第１の光学系、又は、一部の光を反射すると共に残りの光を通過させる第２の光学系であることを特徴とする請求項１乃至請求項９の何れか１項に記載の光学系。
【請求項１１】
照射手段により照射された光を、複数の光学系を通過させることによりスポット光にすると共に偏向手段により偏向する光走査装置であって、
前記複数の光学系の少なくとも１つは、請求項１乃至請求項９の何れか１項に記載の光学系である
ことを特徴とする光走査装置。
【請求項１２】
照射手段により照射された光を、複数の光学系を通過させることによりスポット光にすると共に偏向手段により偏向する光走査装置であって、
前記複数の光学系の１つは、請求項１０記載の第１の光学系である
ことを特徴とする光走査装置。
【請求項１３】
照射手段により照射された光を、複数の光学系を通過させることによりスポット光にすると共に偏向手段により偏向する光走査装置であって、
請求項１０記載の第２の光学系を更に備えた
ことを特徴とする光走査装置。
【請求項１４】
照射手段により照射された光を、複数の光学系を通過させることによりスポット光にすると共に偏向手段により偏向する光走査装置であって、
前記照射手段は、高さ位置が異なる複数の光を照射し、
前記複数の光はそれぞれ、請求項３又は請求項５記載の複数の光学系それぞれの前記交差面を通過する
ことを特徴とする光走査装置。
【請求項１５】
光走査装置により光を照射することにより感光体に静電潜像を形成し、形成された静電潜像をトナーにより現像し、現像により得られたトナー像を被転写媒体に転写して画像形成する画像形成装置であって、
前記光走査装置は、請求項１１乃至請求項１４の何れか１項に記載の光走査装置である
ことを特徴とする画像形成装置。
【発明の詳細な説明】
【技術分野】
【０００１】
本発明は、光学系、光走査装置、及び画像形成装置にかかり、より詳細には、各々２つの外側面が交差して形成される複数の交差線を有する光学系、該光学系を備えた光走査装置、及び、該光走査装置を備えた画像形成装置に関する。
【背景技術】
【０００２】
従来、光走査装置は、レーザーダイオードから射出されたビームを平行光に変換するコリメータレンズと、コリメータレンズを通過したビームを副走査方向に集光するシリンドリカルレンズと、シリンドリカルレンズによって集光されたビームを偏向する回転多面鏡と、回転多面鏡によって偏向されたビームを集光するＦθレンズと、Ｆθレンズによって集光されたビームを複数回折り返して感光体に入射させる複数のミラーと、を備える。
【０００３】
また、光走査装置は、ビームの一部をビームの進行方向と反対側に反射するハーフミラーと、ハーフミラーによって反射されたビームを受光し、ビームの光量を検出する光量モニタセンサを備える。
ここで、上記シリンドリカルレンズやハーフミラー等の光学系は、どのような向きに配置するのかが予め決められており、予め決められた向きに配置しなければ、これらの本来の役割を奏することができない。
【０００４】
そこで、従来、各光学系では、基準位置が認識できるように、面取りがされている。
【０００５】
なお、レンズの固定を良好にするため、レンズの面の上端部の少なくとも一部に斜めの切り欠きを設け、レンズの切り欠き面に接するレンズ押さえ部材と、レンズ押さえ部材を下方に押圧する押圧手段とを備えた光走査装置が提案されている（特許文献１参照）。
【特許文献１】特開平０８―０９４８９７号公報
【発明の開示】
【発明が解決しようとする課題】
【０００６】
しかしながら、光学系において面取りをするとしても、その面取りが適正にされなければ、面取り位置を認識できず、従って、基準位置を認識することができない。よって、予め決められた向きにシリンドリカルレンズ等を配置することはできない。
本発明は、上記事実に鑑み成されたもので、光学系の向き等を適切に認識することが可能な光学系、該光学系を備えた光走査装置、及び、該光走査装置を備えた画像形成装置を提供することを目的とする。
【課題を解決するための手段】
【０００７】
上記目的を達成するために請求項１に記載の発明は、各々２つの外側面が交差して形成される複数の交差線を有する光学系であって、前記複数の交差線の内の１つの交差線全体を含む部分が切り取られた面とされている、幅が０．２５mm以上の切取面を有することを特徴とする。
【０００８】
即ち、本発明は、各々２つの外側面が交差して形成される複数の交差線を有する光学系である。本光学系は、前記複数の交差線の内の１つの交差線全体を含む部分が切り取られた面とされている切取面を有する。
【０００９】
ここで、本発明者は、切取面の幅を種々変化させて、該切取面を認識できた人数を計数してみた。すると、切取面の幅が０．２５mm以上であれば、半数の人がこれを認識することができた。
【００１０】
そこで、本発明では、切取面の幅が０．２５mm以上としている。これにより、半数の人に切取面を認識させることができる。
【００１１】
ところで、切取面の幅を０．２５mm以上とすれば、半数の人がこれを認識することができるといっても、そのときの人の状態によって、これを認識することができない場合もある。
【００１２】
従って、より安定して切取面を認識させるためには、より好ましくは、切取面の幅を０．３mm以上としてもよい。
【００１３】
なお、上記実験では、切取面の幅を０．５mm以上とすると、全ての人がこれを認識することができた。そこで、更に好ましくは、切取面の幅を０．５mm以上としてもよい。
【００１４】
ところで、請求項２のように、前記切取面と、前記１つの交差線を形成する２つの外側面各々とのなす角が異なるようにしてもよい。この場合、請求項３のように、前記切取面とのなす角が小さい側の面を光が通過するようにしてもよい。
【００１５】
ここで、１つの交差線を形成する２つの外側面各々とのなす角が異なるということは、切取られた部分の長さが、１つの交差線を形成する２つの外側面で異なるということである。切取られた部分の長さは、切取面とのなす角が小さい側の面のほうが、大きい側の面より短い。従って、切取面とのなす角が小さい側の面は、大きい側の面に比べると、切取られる面積が小さい。よって、切取られない面積がより大きいので、この面を光が通過するようにすると、光学系を有効に活用することができる。
【００１６】
なお、この点のみ注目すると、請求項５に記載の発明が提案される。即ち、請求項５記載の発明は、各々２つの外側面が交差して形成される複数の交差線を有する光学系であって、前記複数の交差線の内の１つの交差線全体を含む部分が切り取られた面とされている切取面を有すると共に、該切取面と、該１つの交差線を形成する２つの面各々とのなす角度が異なると共に、前記切取面とのなす角が小さい側の面を光が通過することを特徴とする。
【００１７】
ところで、請求項４記載の発明は、請求項１記載の発明において、前記１つの交差線を形成する２つの外側面と交差する交差面の一部の領域を光が通過し、前記切取面と前記交差面との交差する部分は、前記光が通過する領域から最も遠い位置に位置することを特徴とする。
【００１８】
このように、１つの交差線を形成する２つの外側面と交差する交差面の一部の領域を光が通過し、切取面と交差面との交差する部分は、光が通過する領域から最も遠い位置に位置するようにすると、切取面が、光の通過に邪魔にならず、光学系を有効に活用することができる。
【００１９】
なお、この点のみ着目すると、請求項６記載の発明が提案される。即ち、請求項６記載の発明は、各々２つの外側面が交差して形成される複数の交差線を有する光学系であって、前記複数の交差線の内の１つの交差線全体を含む部分が切り取られた面とされている切取面を有し、前記１つの交差線を形成する２つの外側面と交差する交差面の一部の領域を光が通過し、前記切取面と前記交差面との交差する部分は、前記光が通過する領域から最も遠い位置に位置することを特徴とする。
【００２０】
なお、上記各発明では、請求項７のように、切取面を、予め定められた基準面以外の面に含めるようにしてもよい。これにより、切取面により基準面が邪魔して、光学系の配置向きが予め定められた向きからずれることを防止することができる。
【００２１】
請求項８記載の発明は、各々少なくとも３つの外側面が交差して形成される複数の頂点を有する光学系であって、前記複数の頂点の内の１つの頂点を含む角部が切り欠けられた形状とされている切欠形状部を有することを特徴とする。
【００２２】
即ち、本発明は、各々少なくとも３つの外側面が交差して形成される複数の頂点を有する光学系である。
【００２３】
そして、本発明では、複数の頂点の内の１つの頂点を含む角部が切り欠けられた形状とされている切欠形状部を有するものである。
【００２４】
このように、複数の頂点の内の１つの頂点を含む角部が切り欠けられた形状とされている切欠形状部を有すると、光学系の形状の１部（該１つの頂点）が他の部分（他の頂点）と異なる形状であるので、切欠形状部を認識することができる。
【００２５】
なお、請求項９のように、切欠形状部は、予め定められた基準面以外の面に含めるようにしてもよい。これにより、切欠形状部により基準面が邪魔して、光学系の配置向きが予め定められた向きからずれることを防止することができる。
【００２６】
なお、上記各発明の光学系は、請求項１０のように、光を所定方向に集光する第１の光学系、又は、一部の光を反射すると共に残りの光を通過させる第２の光学系とすることができる。
【００２７】
以上説明した光学形は、光走査装置に備えられることができる。
【００２８】
即ち、請求項１１記載の発明は、照射手段により照射された光を、複数の光学系を通過させることによりスポット光にすると共に偏向手段により偏向する光走査装置であって、前記複数の光学系の少なくとも１つは、請求項１乃至請求項９の何れか１項に記載の光学系としている。
【００２９】
請求項１２記載の発明は、照射手段により照射された光を、複数の光学系を通過させることによりスポット光にすると共に偏向手段により偏向する光走査装置であって、前記複数の光学系の１つは、請求項１０記載の第１の光学系としている。
【００３０】
請求項１３記載の発明は、照射手段により照射された光を、複数の光学系を通過させることによりスポット光にすると共に偏向手段により偏向する光走査装置であって、請求項１０記載の第２の光学系を更に備えたことを特徴とする。
【００３１】
請求項１４記載の発明は、照射手段により照射された光を、複数の光学系を通過させることによりスポット光にすると共に偏向手段により偏向する光走査装置であって、前記照射手段は、高さ位置が異なる複数の光を照射し、前記複数の光はそれぞれ、請求項３又は請求項５記載の複数の光学系それぞれの前記交差面を通過することを特徴とする。
【００３２】
また、上記各光走査装置（従って、上記各光学系）は、画像形成装置に備えられることができる。即ち、請求項１５記載の発明は、光走査装置により光を照射することにより感光体に静電潜像を形成し、形成された静電潜像をトナーにより現像し、現像により得られたトナー像を被転写媒体に転写して画像形成する画像形成装置であって、前記光走査装置は、請求項１１乃至請求項１４の何れか１項に記載の光走査装置であることを特徴とする。
【発明の効果】
【００３３】
本発明では、切取面の幅が０．２５mm以上としている。これにより、半数の人に切取面を認識させることができる。
【００３４】
また、本発明は、複数の交差線の内の１つの交差線全体を含む部分が切り取られた面とされている切取面を有すると共に、該切取面と、該１つの交差線を形成する２つの面各々とのなす角度が異なると共に、切取面とのなす角が小さい側の面を光が通過するようにするので、光学系を有効に活用することができる。
【００３５】
更に、１つの交差線全体を含む部分が切り取られた面とされている切取面を有し、１つの交差線を形成する２つの外側面と交差する交差面の一部の領域を光が通過し、切取面と交差面との交差する部分を、前記光が通過する領域から最も遠い位置に位置させるので、切取面が、光の通過に邪魔にならず、光学系を有効に活用することができる。
【発明を実施するための最良の形態】
【００３６】
以下、図面を参照して本発明の実施の形態の一例を詳細に説明する。
【００３７】
図１に示すように、本実施の形態にかかる光走査装置１０を備えるレーザービームプリンタ（画像形成装置）１２では、感光体１４の周囲に、感光体１４の回転方向（図中時計回り方向）に順に帯電ユニット１６、現像ユニット１８、転写ユニット２０、クリーナユニット２２が配置されている。感光体１６と転写ユニット２０との間には中間転写ベルト２４が搬送される。また、帯電ユニット１６は感光体１４の上方に配置されている。光走査装置１０は、この帯電ユニット１６の上方に配置されており、帯電ユニット１６と現像ユニット１８との間から感光体１４へビーム（スポット光）を射出する。
【００３８】
このレーザープリンタ１２では、まず、感光体１４が帯電ユニット１６によって一様に帯電され、感光体１４の帯電面が光走査装置１０によって複数のビームで走査されて潜像が形成される。そして、感光体１４の潜像が現像ユニット１８によってトナーで現像され、感光体１４上のトナー像が転写ユニット２０によって中間転写ベルト２４に転写される。そして、中間転写ベルト２４に転写されずに感光体１４に残留した未転写残留トナーがクリーナユニット２２によって感光体１４から除去される。
【００３９】
また、図２乃至図４に示すように、光走査装置１０は、複数のレーザーダイオードが縦横に配列された照射手段としてのマルチスポットレーザダイオード（以下、ＭＳＬＤと言う）２６と、ＭＳＬＤ２６から射出された複数のビーム（Ｃビーム及びＫビーム）を平行光に変換するコリメータレンズ２８と、コリメータレンズ２８を通過した複数のビームを副走査方向に集光する光学系（第１の光学系）としてのシリンドリカルレンズ３０と、シリンドリカルレンズ３０によって集光されたビームを偏向する回転多面鏡３２と、回転多面鏡３２によって偏向されたビームを集光するＦθレンズ３４と、Ｆθレンズ３４によって集光されたビームを複数回折り返して感光体１４に入射させる複数のミラー３６で構成されるミラー群３８と、複数のミラー群３８の最終のミラー３６と感光体１４との間に配置され、この最終のミラー３６で反射されたビームが通過するカバーガラス３９と、を備える。
【００４０】
なお、本実施の形態では、上記Ｃビーム及びＫビームは高さ位置が異なり、このＣビーム及びＫビーム各々に対応して合計２つのシリンドリカルレンズ３０を高さ位置を異なるように配置している。
【００４１】
また、光走査装置１０は、画像形成領域外の所定位置を通過するビームを受光してビームの書き出しタイミングを検出するＳＯＳセンサ４１と、ＳＯＳセンサ４１に向けて、ミラー４３、ビームを折り返すＳＯＳピックアップミラー４０と、を備える。
【００４２】
更に、図５に示すように、光走査装置１０は、コリメータレンズ２８を通過したビームの一部をビームの進行方向と反対側に反射する光学系（第２の光学系）としてのハーフミラー４０と、ハーフミラー４０によって反射されたビームを受光し、ビームの光量を検出する光量モニタセンサ４２を備える。
【００４３】
次に、シリンドリカルレンズ３０及びハーフミラー４０について説明する。
【００４４】
図６及び図７に示すように、本実施の形態では、２つのシリンドリカルレンズ３０（３０Ａ、３０Ｂ）を、高さ位置が異なるように配置している。
【００４５】
各シリンドリカルレンズ３０Ａ、３０Ｂ及びハーフミラー４０それぞれは、各々２つの外側面が交差して形成される複数の交差線を有し、複数の交差線の内の１つの交差線全体を含む部分が切り取られた面とされている切取面３０Ｓ、４０Ｓを有する。即ち、いわゆる面取りがされている。
【００４６】
ここで、各シリンドリカルレンズ３０Ａ、３０Ｂ各々では、切取面３０Ｓと、上記１つの交差線を形成する２つの外側面各々とが異なり、より詳細には、切取面３０Ｓとのなす角が小さい側の面を光が通過する。
【００４７】
図６及び図７に示すハーフミラー４０の違いは、切取面４０Ｓの水平面に対する角度が相違している点にある。即ち、図６に示すハーフミラー４０では、切取面４０Ｓと、上記１つの交差線を形成する２つの外側面各々とのなす角が等しいのに対し、図７に示すハーフミラー４０では、切取面４０Ｓと、上記１つの交差線を形成する２つの外側面各々とが異なる点で相違している。なお、図７に示すハーフミラー４０では、切取面４０Ｓとのなす角が小さい側の面を光が通過する。
【００４８】
次に、上記切取面３０Ｓを有する各シリンドリカルレンズ３０Ａ、３０Ｂの製造方法を説明する。
【００４９】
最初に、図８（Ａ）に示すように、ガラス板５０を用意する。このガラス板５０に、切断線５２をひき、この切断線５２に沿って、このガラス板５０を、図９（Ａ）及び図９（Ｂ）に示す突起部５６を備えた回転式のカッター５４により切断する。
【００５０】
なお、カッター５４の突起部５６は、カッター５４の回転軸を中心として中空部を有し、円盤状に形成されており、その断面５６Ｓは、斜辺側の角が各々異なる。
【００５１】
上記のようにガラス板５０がカッター５４により切断されると、図１０に示す細長い短冊が製造され、これを所定の長さ毎に切断する。そして、入射した光を集光するための曲面（入射面）を形成する。
【００５２】
ところで、カッター５４は突起部５６を有するので、ガラス板５０がカッター５４により切断されると、図１０に示す短冊は既に切取面３０Ｓを有する（面取られている）。
【００５３】
上記カッター５４で、ガラス板５０を切断する際、ガラス板５０を基準位置に固定し、後述する切取面３０Ｓが形成されるように、カッター５４の位置を調整する。
【００５４】
ここで、各シリンドリカルレンズ３０Ａ、３０Ｂに対しては、次の２つの点が要請される。
【００５５】
第１に、各シリンドリカルレンズ３０Ａ、３０Ｂにされる面取りが認識されることが要請される。
【００５６】
各シリンドリカルレンズ３０Ａ、３０Ｂは、どのような向きに配置するのかが予め決められており、予め決められた向きに配置しなければ、これらの本来の役割を奏することができない。そこで、基準位置が認識できるように、面取りが必要となる。しかし、面取りをするとしても、その面取りが適正にされなければ、面取り位置を認識できず、従って、基準位置を認識することができない。よって、各シリンドリカルレンズ３０Ａ、３０Ｂにされる面取りが認識されることが要請される。
【００５７】
本実施の形態では、上記第１の要請に従って、切取面３０Ｓの幅Ｋを０．２５mm以上としている。
【００５８】
ここで、各シリンドリカルレンズ３０Ａ、３０Ｂにされる面取りが認識されるようにするため、切取面３０Ｓの幅Ｋを０．２５mm以上としたのは以下の理由からである。
【００５９】
本発明者は、切取面３０Ｓの幅Ｋを種々変化させて、切取面３０Ｓを認識できた人数を計数してみた。すると、図１１に示す結果が得られた。即ち、切取面３０Ｓの幅Ｋが０．２５mm以上であれば、半数の人がこれを認識することができた。
【００６０】
そこで、本実施の形態では、切取面３０Ｓの幅Ｋが０．２５mm以上としている。これにより、半数の人に切取面を認識させることができる。
【００６１】
ところで、切取面３０Ｓの幅Ｋを０．２５mm以上とすれば、半数の人がこれを認識することができるといっても、そのときの人の状態によって、これを認識することができない場合もある。
【００６２】
従って、より安定して切取面３０Ｓを認識させるためには、より好ましくは、切取面３０Ｓの幅Ｋを０．３mm以上としてもよい。
【００６３】
また、上記実験では、切取面３０Ｓの幅Ｋを０．５mm以上とすると、全ての人がこれを認識することができた。そこで、更に好ましくは、切取面３０Ｓの幅Ｋを０．５mm以上としてもよい。
【００６４】
なお、切取面３０Ｓの幅Ｋを０．２５mm以上とするとしても、無制限に長くすることはできず、切取面３０Ｓの幅Ｋ（図１０参照）は、切取面３０Ｓと交差する面（１つの交差線を形成する２つの外側面の一方の面）３０Ｐの幅Ｌ未満である。即ち、Ｌ>Ｋである。
【００６５】
なぜなら、Kを大きくして行くと最大となる時は反対側の稜線（交差線）まで到達する。そのときのレンズの形状はくさび形状となり、くさび部と平面部の識別がしづらくなる。そのため、３０Ｐには平面部分があることが識別には必要となる。
【００６６】
また、切取面３０Ｓを形成する際に、面３０Ｐを切り欠けられた面３０Ｐ上の長さＮは、面３０Ｐの幅Ｌの２／３以下である。即ち、（２／３）Ｌ≧Ｎである。
【００６７】
なぜなら、上記Ｋの寸法の根拠と同様Ｎを大きくすると楔形状に近づく。上記のように３０Ｐに平面部が必要であるが、少なくとも幅Ｌの１／３は残したほうが見やすい。より好ましくは１／２残るとさらに見やすくなる。
【００６８】
ところで、上記のように切取面３０Ｓの幅を０．２５mm以上とすると、少なくとも半数の人がこれを認識することができるのであるから、人に認識させることのみを考えると、図１２に示すように、切取面３０Ｓは、各シリンドリカルレンズ３０Ａ、３０Ｂの各交差線７２、７４、７６、７８、８０、８２の何れでもよい。但し、本実施の形態では、各シリンドリカルレンズ３０Ａ、３０Ｂは底面が基準面（取付時に下に位置する面）としているので、底面に含まれる交差線８２等には、切取面を設けない。
【００６９】
なお、各シリンドリカルレンズ３０Ａ、３０Ｂの曲面側の面は光の入射面８４であり、入射面８４に対向する面は、射出面８６である。なお、射出面８６では、光が通過する領域を、符号８８で示している。
【００７０】
図１３（Ａ）には、交差線７２全体を含む部分が切り取られた面とされている、幅が０．２５mm以上の切取面を有する場合が示されている。このような切取面を有するためには、図１３（Ｂ）に示すように、カッターを、図１３（Ａ）において、上方から、短冊９０を切断する。
【００７１】
図１４（Ａ）には、交差線７４全体を含む部分が切り取られた面とされている、幅が０．２５mm以上の切取面を有する場合が示されている。このような切取面を有するためには、図１４（Ｂ）に示すように、カッターを、図１３（Ａ）において、射出面８６側から、短冊９０を切断する。
【００７２】
図１５（Ａ）には、交差線７６全体を含む部分が切り取られた面とされている、幅が０．２５mm以上の切取面を有する場合が示されている。このような切取面を有するためには、図１５（Ｂ）に示すように、カッターを、図１５（Ａ）において、上方から、短冊９０を切断する。
【００７３】
図１６（Ａ）には、交差線７８全体を含む部分が切り取られた面とされている、幅が０．２５mm以上の切取面を有する場合が示されている。このような切取面を有するためには、図１６（Ｂ）に示すように、カッターを、図１６（Ａ）において、射出面８６側から、短冊９０を切断する。
【００７４】
ところで、各シリンドリカルレンズ３０Ａ、３０Ｂには、上記面取りの要請（第１の要請）以外に、第２に、各シリンドリカルレンズ３０Ａ、３０Ｂの射出面に対して、該射出面を光が通過する光の領域の占める割合を、大きくすることが要請される。
【００７５】
シリンドリカルレンズは、入射した光を所定方向（高さ方向、副走査方向）に集光して射出するものであるので、入射面はなるべく広くしたほうがいい。しかし、本実施の形態では、図６及び図７に示すように、２つのシリンドリカルレンズ３０（３０Ａ、３０Ｂ）を高さ位置が異なるように配置するので、各シリンドリカルレンズ３０Ａ、３０Ｂの入射面を広く、即ち、各シリンドリカルレンズ３０Ａ、３０Ｂを厚くすると、光走査装置１０は、高さ方向に大きなスペースを必要とする。従って、小型化の要請に応えることができない。よって、各シリンドリカルレンズ３０Ａ、３０Ｂをなるべく薄くする必要があり、各シリンドリカルレンズ３０Ａ、３０Ｂの入射面に対して、該入射面に入射する光の領域の占める割合や、射出面に対して、該射出面を光が通過する光の領域の占める割合は、大きくする必要がある。
【００７６】
まず、図７及び図１０に示す例では、各シリンドリカルレンズ３０Ａ、３０Ｂ各々では、切取面３０Ｓと、上記１つの交差線を形成する２つの外側面各々とが異なり、より詳細には、切取面３０Ｓとのなす角が小さい側の面を光が通過する。即ち、図１０に示すように、切取面３０Ｓと、該切取面３０Ｓと交差する面３０Ｐとのなす角θ１より、切取面３０Ｓと、該切取面３０Ｓと交差する他の面３０Ｑとのなす角θ２は小さい。従って、切取面３０Ｓにより面３０Ｐが切取られる長さＮより、切取面３０Ｓにより面３０Ｑが切取られる長さＭが小さい。よって、面３０Ｑのほうが、面３０Ｐより、切取面３０Ｓが光の通過を邪魔する領域をより少なくすることができる。そこで、面３０Ｑを射出面としている。
【００７７】
また、上記図１３（Ａ）〜図１６（Ａ）に示す例では、図１３（Ａ）と、図１５（Ａ）に示す例が、射出面８６に対して、射出面８６を光が通過する光の領域の占める割合を、最も大きくすることができる。なぜなら、図１３（Ａ）と、図１５（Ａ）に示す例では、切取面３０Ｓと、射出面８６との交差する部分を、光が通過する領域８８から最も遠い位置に位置させているので、切取面３０Ｓにより光が通過する領域８８が狭くなることを防止することができるからである。
【００７８】
図１７（Ａ）〜図１７（Ｄ）には更に別の切取面の態様が示されている。
【００７９】
図１７（Ｅ）には、図１７（Ａ）〜図１７（Ｄ）に示す各態様の切取面が取られていないシリンドリカルレンズ３０が示されている。
【００８０】
図１７（Ｅ）に示すように、切取面は、シリンドリカルレンズ３０の各交差線１０２、１０４、１０６、１０８、１１０、１１２、１１４の何れに対応して設けてもよい。
【００８１】
但し、本実施の形態では、シリンドリカルレンズ３０は底面が基準面（取付時に下に位置する面）としているので、底面に含まれる交差線８２等には、切取面を設けない。
【００８２】
なお、シリンドリカルレンズ３０の曲面側の面は光の入射面１２２であり、入射面１２２に対向する面は、射出面１２４である。なお、射出面１２４では、光が通過する領域を、符号１３０で示している。
【００８３】
図１７（Ａ）には、交差線１０２全体を含む部分が切り取られた面とされている、幅が０．２５mm以上の切取面を有する場合が示されている。
【００８４】
図１７（Ｂ）には、交差線１０６全体を含む部分が切り取られた面とされている、幅が０．２５mm以上の切取面を有する場合が示されている。
【００８５】
図１７（Ｃ）には、交差線１１６全体を含む部分が切り取られた面とされている、幅が０．２５mm以上の切取面を有する場合が示されている。
【００８６】
図１７（Ｄ）には、交差線１０８全体を含む部分が切り取られた面とされている、幅が０．２５mm以上の切取面を有する場合が示されている。
【００８７】
上記図１７（Ａ）〜図１７（Ｄ）に示す例では、図１７（Ａ）に示す例が、射出面１２４に対して、射出面１２４を光が通過する光の領域の占める割合を、最も大きくすることができる。なぜなら、図１７（Ａ）に示す例では、切取面３０Ｓと、射出面８６との交差する部分を、光が通過する領域８８から最も遠い位置に位置させているので、切取面３０Ｓにより光が通過する領域１３０が狭くなることを防止することができるからである。
【００８８】
ところで、以上説明したシリンドリカルレンズは、入射した光を、高さ方向に集光するものであるが、本発明はこれに限定されるものではなく、図１８に示すように、水平方向（主走査方向）に集光するものを用いてもよい。
【００８９】
図１８（Ｅ）には、図１８（Ａ）〜図１８（Ｄ）に示す各態様の切取面が取られていないシリンドリカルレンズ３０が示されている。
【００９０】
図１８（Ｅ）に示すように、切取面は、シリンドリカルレンズ３０の各交差線１５２、１５４、１５６、１５８の何れに対応して設けてもよい。
【００９１】
但し、本実施の形態では、シリンドリカルレンズ３０は底面が基準面（取付時に下に位置する面）としているので、底面に含まれる交差線１６０、１６２等には、切取面を設けない。
【００９２】
なお、シリンドリカルレンズ３０の曲面側の面は光の入射面１６７であり、入射面１６７に対向する面は、射出面１６５である。なお、射出面１６５では、光が通過する領域を、符号１７０で示している。
【００９３】
図１８（Ａ）には、交差線１５２全体を含む部分が切り取られた面とされている、幅が０．２５mm以上の切取面を有する場合が示されている。
【００９４】
図１８（Ｂ）には、交差線１５４全体を含む部分が切り取られた面とされている、幅が０．２５mm以上の切取面を有する場合が示されている。
【００９５】
図１８（Ｃ）には、交差線１５８全体を含む部分が切り取られた面とされている、幅が０．２５mm以上の切取面を有する場合が示されている。
【００９６】
図１８（Ｄ）には、交差線１５６全体を含む部分が切り取られた面とされている、幅が０．２５mm以上の切取面を有する場合が示されている。
【００９７】
上記図１８（Ａ）〜図１８（Ｄ）に示す例では、図１８（Ｂ）に示す例が、射出面１６５に対して、射出面１６５を光が通過する光の領域の占める割合を、最も大きくすることができる。なぜなら、図１８（Ａ）に示す例では、切取面３０Ｓと、射出面１６５との交差する部分を、光が通過する領域１７０から最も遠い位置に位置させているので、切取面３０Ｓにより光が通過する領域１７０が狭くなることを防止することができるからである。
【００９８】
以上説明した各例では、交差線全体を含む部分が切取られた切取面を有する場合を説明したが、本発明はこれに限定されるものではなく、図１９に示すように、シリンドリカルレンズは、各々少なくとも３つの外側面が交差して形成される複数の頂点を有し、複数の頂点の内の１つの頂点を含む角部が切り欠けられた形状とされている切欠形状部２５０、２６０を有するようにしてもよい。
【００９９】
図１９（Ａ）には、図１９（Ｂ）、図１９（Ｃ）に示す各態様の切欠形状部２５０、２６０をを有する前のシリンドリカルレンズ３０が示されている。
【０１００】
図１９（Ａ）に示すように、切欠形状部は、シリンドリカルレンズ３０の各頂点２０２、２０４、２０６、２０８の何れでもよい。
【０１０１】
但し、本実施の形態では、シリンドリカルレンズ３０は底面が基準面（取付時に下に位置する面）としているので、底面に含まれる頂点２０６、２０８には、切欠形状部を設けない。
【０１０２】
なお、シリンドリカルレンズ３０の曲面側の面は光の入射面２００Ａであり、入射面２００Ａに対向する面は、射出面２００Ｂである。なお、射出面２００Ｂでは、光が通過する領域を、符号２１０で示している。
【０１０３】
図１９（Ｂ）には、頂点２０２を含む角部が切り欠けられた形状とされている切欠形状部２５０を有する場合を示し、図１９（Ｃ）には、頂点２０２を含む角部が切り欠けられた形状とされている切欠形状部２６０を有する場合を示している。
【０１０４】
図１９（Ｂ）及び図１９（Ｃ）に示す何れの場合も、射出面２００Ｂに対して、射出面２００Ｂを光が通過する光の領域の占める割合を、最も大きくすることができる。なぜなら、切欠形状部２５０、２６０を、光が通過する領域２１０から最も遠い位置に位置させているので、切欠形状部２５０、２６０により光が通過する領域２１０が狭くなることを防止することができるからである。
【０１０５】
なお、図１９に示す場合に限定されず、例えば、図１７（Ｅ）に示す頂点２２０を含む角部が切り欠けられた形状とされている切欠形状部を有するようにしてもよく、また、図１８（Ｅ）に示すに示す頂点２３０を含む角部が切り欠けられた形状とされている切欠形状部を有するようにしてもよい。
【０１０６】
以上説明した各例では、ガラス板をカッターにより切断して製造しているが、本発明はこれに限定されるものではなく、上述した各例の型を作成し、これにレンズ材料を充填して製造するまたはガラス剤をプレスして製造するようにしてもよい。
【０１０７】
なお、以上説明した各例では、シリンドリカルレンズを用いて説明しているが、本発明はこれに限定されるものではなく、上記ミラー、コリメータレンズ等も同様に適用してもよい。
【図面の簡単な説明】
【０１０８】
【図１】本実施形態の光走査装置を備えるカラーレーザープリンタの概略構成を示す図である。
【図２】本実施形態の光走査装置を示す斜視図である。
【図３】本実施形態の光走査装置の概略を示す側面図である。
【図４】本実施形態の光走査装置を示す斜視図である。
【図５】本実施形態の光走査装置の概略を示す平面図である。
【図６】ミラーと、シリンドリカルレンズの配置位置を示した図である。
【図７】他のミラーと、シリンドリカルレンズの配置位置を示した図である。
【図８】（Ａ）は、ガラス板を示し、（Ｂ）は、ガラス板をカッターで切断する様子を示した図である。
【図９】（Ａ）は、カッターの断面図、（Ｂ）は、カッターの正面図である。
【図１０】ガラス板をカッターで切断してできる短冊を示した図である。
【図１１】切取面の幅と、これを認識できた人数との関係の実験結果を示したグラフである。
【図１２】切取面が形成される前のシリンドリカルレンズを示した図である。
【図１３】（Ａ）は、シリンドリカルレンズの１態様を示し、（Ｂ）は、（Ａ）に示したシリンドリカルレンズを製造するための短冊の切断方向を説明する説明図である。
【図１４】（Ａ）は、シリンドリカルレンズの他の１態様を示し、（Ｂ）は、（Ａ）に示したシリンドリカルレンズを製造するための短冊の切断方向を説明する説明図である。
【図１５】（Ａ）は、シリンドリカルレンズの他の１態様を示し、（Ｂ）は、（Ａ）に示したシリンドリカルレンズを製造するための短冊の切断方向を説明する説明図である。
【図１６】（Ａ）は、シリンドリカルレンズの他の１態様を示し、（Ｂ）は、（Ａ）に示したシリンドリカルレンズを製造するための短冊の切断方向を説明する説明図である。
【図１７】他のシリンドリカルレンズを示す図である。
【図１８】更に他のシリンドリカルレンズを示す図である。
【図１９】他のシリンドリカルレンズを示す図である。
【符号の説明】
【０１０９】
３０（３０Ａ、３０Ｂ）  シリンドリカルレンズ（光学系、第１の光学系）
４０                    ハーフミラー（光学系、第２の光学系）
３０Ｓ、４０Ｓ          切取面
２５０、２６０          切欠形状部
【図１】
2006276456.tif 000003
【図２】
2006276456.tif 000004
【図３】
2006276456.tif 000005
【図４】
2006276456.tif 000006
【図５】
2006276456.tif 000007
【図６】
2006276456.tif 000008
【図７】
2006276456.tif 000009
【図８】
2006276456.tif 000010
【図９】
2006276456.tif 000011
【図１０】
2006276456.tif 000012
【図１１】
2006276456.tif 000013
【図１２】
2006276456.tif 000014
【図１３】
2006276456.tif 000015
【図１４】
2006276456.tif 000016
【図１５】
2006276456.tif 000017
【図１６】
2006276456.tif 000018
【図１７】
2006276456.tif 000019
【図１８】
2006276456.tif 000020
【図１９】
2006276456.tif 000021